(57)【特許請求の範囲】
【請求項１】
伝送装置、交換機のクロスコネクト部における時間スイッチと空間スイッチとが直列に接続された多段接続構成のシステムにおいて、
各時間スイッチと空間スイッチのタイムスロットの設定を行なう主制御装置を設け、
外部より入力されるＦＴＳパターンに対して、前記主制御装置から接続先／接続元を設定することにより、接続元のセクションオーバヘッドの特定位置からのＦＴＳパターンを選択し、時間スイッチを用いて接続先のセクションオーバヘッドの特定位置に入れ替えすることを特徴とする誤接続監視システム。
【請求項２】
接続構成がＫ段（Ｋは１以上の整数）の場合に、請求項１記載の動作を連続的に用いることにより、誤接続箇所を特定することを特徴とする誤接続監視システム。
【請求項３】
接続構成がＮ段（Ｎは２以上の整数）の場合に、１つのＦＴＳパターン挿入回路と、（Ｎ−１）個のパターン取り出し回路を設置することで、誤接続箇所を特定することを特徴とする請求項１記載の誤接続監視システム。
【発明の詳細な説明】
【０００１】
【発明の属する技術分野】
本発明は伝送装置又は交換機のパッケージ（以下、ＰＫＧと略す）間接続における誤接続監視システムに関し、更に詳しくは伝送装置又は交換機のＰＫＧ間接続の監視を行なうためのファームウエアによるＦＴＳ（ここで、ＦＴＳはＦｒｅｅ  Ｔｉｍｅ  Ｓｌｏｔの略である）パターン設定方式に関する。
【０００２】
近年、通信サービスの多様化、回線利用者の増加に伴い、１装置で様々なインタフェースを効率よく収容することが要求されており、装置内に収容されるＰＫＧ種別、ＰＫＧ実装数は増加する傾向にある。このため、接続構成が一意ではない不定のＰＫＧ間接続の場合、伝送路の正常性はもちろん、ケーブル等を用いてＰＫＧを接続する際の誤接続を監視することが必要である。
【０００３】
【従来の技術】
従来のこの種のＦＴＳパターンによる瞬断制御方式では、例えば特開平１１−３５５３９０号公報に示すものがある。この方式では、１区間のケーブル接続を監視するために、１組のＦＴＳパターン挿入回路とＦＴＳパターン取出し回路を必要としている。図６は従来システムの概念図である。図において、１はＰＫＧ、２は該ＰＫＧ１とケーブル３を介して接続されているＰＫＧである。ＰＫＧ１において、１ａはＦＴＳをテストパターンとして挿入するＦＴＳパターン挿入回路である。ＰＫＧ２において、２ａはケーブル３を介して送られてくるＦＴＳパターン（テストパターン）を取り出して、その正常性を判断するＦＴＳパターン取出し回路である。
【０００４】
このように構成されたシステムにおいて、ＰＫＧ１からはＦＴＳパターン挿入回路１ａにより挿入されたＦＴＳパターンがケーブル３を介して、次のＰＫＧ２に送出される。ＰＫＧ２においては、ＰＫＧ１から送られてくるＦＴＳパターンを取り出して、その正常性を確認する。取り出されたＦＴＳパターンが予め記憶されている基準のパターンと比較して不一致の場合には、ＰＫＧ１とＰＫＧ２の間に誤接続があったと判定する。
【０００５】
図７はデータフォーマットの説明図である。図において、４はフレームを示す。フレーム４において、５はセクションオーバヘッド、６はデータ領域を示す。７はセクションオーバヘッド５の中の所定の位置に入れられたＦＴＳパターン（テストパターン）である。
【０００６】
【発明が解決しようとする課題】
前述した従来のＦＴＳパターンによる診断制御方式では、ＰＫＧ間の接続構成がｎ段（ｎは２以上の整数）になった場合には（ｎ−１）個のＦＴＳパターン挿入回路と（ｎ−１）個のパターン取出し回路が必要となる。図８は従来の多段接続構成の説明図である。図において、１はＴＳＷ（時間スイッチ）又はＳＳＷ（空間スイッチ）が含まれるＰＫＧで、＃１〜＃ｎまでのｎ個のＰＫＧが接続されている。＃１のＰＫＧ１において、１ａはＦＴＳパターンを挿入するＦＴＳパターン挿入回路である。＃２〜＃ｎまでのＰＫＧにおいて、１ｂは前段のＰＫＧ１からのＦＴＳパターンを取り出しその正常性をチェックする取出し回路、１ａは次の段のＰＫＧ１に向けてＦＴＳパターンを挿入するＦＴＳパターン挿入回路である。
【０００７】
このように構成された回路において、＃１のＦＴＳパターン挿入回路１ａはＦＴＳパターンを挿入する。このＦＴＳパターンが挿入されたフレーム信号は、＃２のＰＫＧ１に送出される。＃２のＰＫＧ１では、取出し回路１ｂが＃１のＰＫＧ１から送られてきたＦＴＳパターンを参照し、予め定められた基準パターンと一致しているかどうかチェックする。このチェック動作により、＃１のＰＫＧ１と＃２のＰＫＧ１とが誤接続されていないかどうかが判定される。次に、＃２のＰＫＧ１のパターン挿入回路１ａは、＃３のＰＫＧ１に向けてＦＴＳパターンを挿入する。そして、＃３のＰＫＧ１では、取出し回路１ｂが＃２のＰＫＧ１からのＦＴＳパターンを受けて、＃２と＃３のＰＫＧ間の誤接続の有無を判定する。以下、＃ｎのＰＫＧ１まで同様の動作が繰り返される。
【０００８】
以上、説明したように、従来のシステムでは、図に示すＦＴＳパターン挿入回路１ａと取出し回路１ｂが入ったＰＫＧ１が（ｎ−１）個用意される必要があり、回路規模の増大化／複雑化につながることになる。また、ケーブル接続の中継区間にクロスコネクト（フレーム乗せ替え）等、Ｔ−Ｓ−Ｔ部を含む場合（ここで、Ｔはタイムスイッチ、Ｓは空間スイッチを示す）には、セクションオーバヘッドの所定位置にＦＴＳパターンを挿入し、取り出す診断制御方式では、実現が不可能であるという問題があった。
【０００９】
本発明は、このような課題に鑑みてなされたものであって、主信号制御信号の１次側時間スイッチからテストパターン（ＦＴＳ）の挿入を行ない、各スイッチ盤に監視機能を持たせることで、一連の接続の正常性を確認すると同時に、各スイッチ盤間でテストパターンを監視することで誤接続の発生した箇所を特定することができる誤接続監視システムを提供することを目的としている。
【００１０】
【課題を解決するための手段】
（１）図１は本発明の原理ブロック図である。図の横方向において、１０はＴＳＷ、１１はＴＳＷの間に挟まれた空間スイッチ（ＳＳＷ）である。この実施の形態例では、横方向には１次のＴＳＷ＃１から（ｍ＋２）次までのＴＳＷ＃１が設けられている。縦方向には、＃１〜＃ｎまでのＴＳＷが設けられている。各ＴＳＷ間はケーブルを介して接続されている。そして、各ＴＳＷ間は１対１の任意のケーブル接続である。
【００１１】
各ＴＳＷ１０において、１０ａは１次のＴＳＷのみに用いられるＦＴＳ（テストパターン）を挿入するＦＴＳパターン挿入回路である。２次以降のＴＳＷ１０において、１０ｂはＦＴＳパターンを取り出して解析する取出し回路である。１１はＴＳＷの間に設けられた空間スイッチ（ＳＳＷ）である。ＳＳＷ１１は、タイムスロット（ＴＳ）を時間軸上で乗せ替えを行なう。１１ｂはＳＳＷ１１に設けられたＦＴＳを取り出すための取出し回路である。
【００１２】
１次のＴＳＷと、（ｍ−１）次のＴＳＷ間は、それぞれ１対１の任意のケーブル接続である。また、（ｍ−１）次のＴＳＷとｍ次のＴＳＷとは１対１の任意のケーブル接続である。また、（ｍ＋１）次のＴＳＷと（ｍ＋２）次のＴＳＷとは１対１の任意のケーブル接続である。
【００１３】
このように構成すれば、接続元の１次のＴＳＷのパターン挿入回路１０ａで挿入されたＦＴＳパターンを次の２次のＴＳＷ１０のセクションオーバヘッドの特定位置に入れ替えるようにすることで、２次のＴＳＷ１０のセクションオーバヘッドの特定位置に挿入されているＦＴＳパターンを取出し回路１０ｂで取り出すことができ、１次のＴＳＷから２次のＴＳＷまでの接続の正常性を確認することができる。
【００１４】
（２）請求項２記載の発明は、接続構成がＫ段（Ｋは１以上の整数）の場合に、請求項１記載の動作を連続的に用いることにより、誤接続箇所を特定することを特徴とする。
【００１５】
このように構成すれば、各段のＴＳＷ間で請求項１の動作を行ない、２次以降のＴＳＷの予め決められたセクションオーバヘッドの特定位置に挿入されているＦＴＳパターンを取り出すことにより、１次のＴＳＷからＫ次のＴＳＷまでの誤接続箇所を特定することができる。
【００１６】
（３）請求項３記載の発明は、接続構成がＮ段（Ｎは２以上の整数）の場合に、１つのＦＴＳパターン挿入回路と、（Ｎ−１）個のパターン取出し回路を設置することで、接続箇所を特定することを特徴とする。
【００１７】
このように構成すれば、初段のＴＳＷの不定パターン挿入回路から挿入されたテストパターンを、後段の（Ｎ−１）個のＴＳＷに設けられたパターン取出し回路でテストパターンを取り出すことで、誤接続箇所を特定することができる。
【００１８】
【発明の実施の形態】
以下、図面を参照して本発明の実施の形態例を詳細に説明する。
図２は本発明の一実施の形態例を示すシステム構成図である。図１と同一のものは、同一の符号を付して示す。図において、２０は（ｍ−１）次のＴＳＷ１０を含むＰＫＧ（パッケージ）である。ここで、ｍは任意の正の整数である。ＰＫＧ２０において、２０ａはパターン挿入と主信号制御を行なう制御部である。ここで、主信号とはセクションオーバヘッドとデータを含むフレーム構成をいう。ここで、主信号制御とは、フレーム上のタイムスロット（ＴＳ）を同じ時間軸上に入れ替える制御をいう。該制御部２０ａには、図１のＦＴＳパターン挿入回路１０ａが含まれる。ｍ次のＰＫＧ２０において、２０ｂはパターンチェックと主信号制御を行なう制御部である。該制御部２０ｂには、図１の取出し回路１０ｂが含まれる。２１はＳＳＷ１１を含むＰＫＧである。該ＰＫＧ２１において、２１ａは主信号制御を行なう制御部であり、ＦＴＳパターンの確認を行なっている。それと同時に、ＳＳＷ１１と接続される複数のＴＳＷからのフレーム信号を入力して、時間軸上でタイムスロットの乗せ替えを行なう。
【００１９】
（ｍ＋１）次のＰＫＧ２０において、２０ｃはパターン入れ替えと主信号制御を行なう制御部である。ここで、パターン入れ替えとは（（ｍ＋１）ＴＳ）がＳＳＷ２１の後に接続されるものであるので、パターンをチェックする時に、ＦＴＳパターンが必ずフレームの中に含まれるように、乗せ替えの後のＦＴＳパターンを配置するものである。それと同時に、ＦＴＳパターンをそれに合った主信号に入れ替えている。（ｍ＋２）次のＰＫＧの構成は、ｍ次のＰＫＧ２０と同じである。
【００２０】
３０は、各ＴＳＷ又はＳＳＷのタイムスロット位置を設定するための主制御装置である。該主制御装置３０は、図に示すように、ＣＰＵ３１とこれに接続されるファームウェア３２から構成されている。ファームウェア３２は、各ＴＳＷ１０又はＳＳＷ１１にタイムスロットの設定を行なうようになっている。各ＴＳＷ１０又はＳＳＷ１１のタイムスロットの設定信号をファームウェア３２から与えるようになっているので、前述した従来のシステムのように、対峙するＴＳＷ間にＦＴＳパターン挿入回路と取出し回路を設ける必要がなくなり、回路が大幅に削減されることになる。３３はＣＰＵ３１とファームウェア３２が接続されるプロセッサバスである。このように構成されたシステムの動作を説明すれば、以下の通りである。
【００２１】
先ず、（ｍ−１）次のＰＫＧ２０において、制御部２０ａは（ｍ−１）次のＴＳＷに外部から与えられるＦＴＳパターンを挿入する。この時のＦＴＳパターンの挿入位置は、ファームウェア３２からの設定信号により予め定められたセクションオーバヘッドの特定位置である。
【００２２】
次に、ｍ次のＴＳＷ１０には、（ｍ−１）次で送出されたＦＴＳパターンが入力される。制御部２０ｂは、ＦＴＳパターンを予め決められている基準パターンと比較し、誤接続がないかどうかチェックする。この制御部２０ｂの動作は、ＦＴＳパターンを抜き出して確認することと、確認が終了したＦＴＳパターンをフレームの所定位置に戻す動作である。そして、制御部２０ｂは、パターンチェックが終了した後、当該ＦＴＳパターンを時間軸上でファームウェア３２から指定されるタイムスロット位置に入れ替える。ｍ次のＴＳＷ１０は、ＳＳＷ１１を含むＰＫＧ２１に主信号を送出する。
【００２３】
このように、本発明の実施の形態例によれば、接続元のＴＳＷのパターン挿入回路で挿入されたＦＴＳパターンを次のＴＳＷのセクションオーバヘッドの特定位置に入れ替えるようにすることで、２次のＴＳＷのセクションオーバヘッドの特定位置に挿入されているＦＴＳパターンを取出し回路で取り出すことができ、１次のＴＳＷから２次のＴＳＷまでの接続の正常性を確認することができる。
【００２４】
ＰＫＧ２１では、制御部２１ａがファームウェア３２から与えられる制御信号に基づいてクロスコネクト接続制御を行ない、入力されたＦＴＳパターンをファームウェア３２から指定されたスロット位置に乗せ替えする。ここで、ＰＫＧ２１では、ＦＴＳパターンが書き込まれているフレームの確認を行なう。そして、ＰＫＧ２１のＳＳＷ１１から送出された主信号は、（ｍ＋１）次のＴＳＷ１０に入る。ここでは、制御部２０ｃは、ＳＳＷ１１で主信号の乗せ替えが行われた後であるので、確実にＦＴＳパターンが検出できるように、パターン入れ替えと主信号制御を行なう。また、制御部２０ｃの取出し回路は、送られてきたＦＴＳパターンをチェックする。その後、制御部２０ｃでは主信号制御を行なった後、フレームパターンを（ｍ＋２）次のＴＳＷ１０に送出する。（ｍ＋２）次のＴＳＷ１０では、制御部２０ｂの取出し回路がＦＴＳパターンのチェックを行ない、また制御部２０ｂは主信号制御を行う。
【００２５】
このような一連の流れにおいて、各ＴＳＷの取出し回路１０ｂ（図１参照）は、ＦＴＳパターンをチェックして誤接続がないかどうかチェックする。（ｍ＋２）次のＴＳＷには、（ｍ−１）次のＴＳＷから（ｍ＋１）次までのＦＴＳパターンのチェック結果が含まれるので、この（ｍ＋２）次のＦＴＳパターンをチェックすることにより、誤接続の有無を判定することができる。若し、ＦＴＳパターンに異常が見つかった場合、ＴＳＷを逆方向にたどっていくことで、どのＴＳＷ又はＳＳＷで誤接続が発生したかをチェックすることができる。
【００２６】
このように、本発明の実施の形態例によれば、各段のＴＳＷ間でパターン挿入とパターン取り出し操作を行ない、２段目（２次）以降のＴＳＷの予め決められた固定位置に挿入されているＦＴＳパターンを取り出すことにより、１次のＴＳＷからｎ次のＴＳＷまでの誤接続箇所を特定することができる。
【００２７】
また、本発明では、このような一連の動作を行なうための制御を、ＣＰＵ３１と接続されたファームウェア３２が行なっているので、各ＴＳＷ１０毎にＦＴＳパターン挿入処理が必要でなくなり、回路規模の大幅な削減が可能となる。
【００２８】
図３は１次のタイムスイッチ（ＴＳＷ）の動作説明図である。図２と同一のものは、同一の符号を付して示す。１次のＴＳＷ１０では、制御部２０ａがＦＴＳパターンの挿入と主信号制御を行なう。この時、制御部２０ａはファームウェア３２からの指示により、例えばＴＳ（タイムスロット）２を４分割したそれぞれの領域に２次のＴＳＷ＃１〜ＴＳＷ＃４までのＦＴＳパターンを割り当てる。
【００２９】
ＴＳＷ１０からは、例えば図に示すようにＴＳ１〜ＴＳ３が送出される。この時、制御部２０ａは、ＴＳ２を用いてＦＴＳパターンの割り当て領域を定める。図の例の場合には、ａの位置に２次ＴＳＷ＃４で監視するＦＴＳパターンのアドレスを、ｂの位置に２次ＴＳＷ＃３で監視するＦＴＳパターンのアドレスを、ｃの位置に２次ＴＳＷ＃２で監視するＦＴＳパターンのアドレスを、ｄの位置に２次ＴＳＷ＃１で監視するＦＴＳパターンのアドレスをそれぞれ割り当てる。
【００３０】
このように各ＴＳＷで使用するＦＴＳパターンのアドレスが書き込まれたフレームは、２次のＴＳＷ１０に送出される。２次のＴＳＷ１０では、１次のＴＳＷ１０から送られてきたＴＳ２を参照する。そして、例えば２次のＴＳＷ＃１はＴＳ２の領域ｄを参照して自己宛のＦＴＳパターンが挿入されたセクションオーバヘッド内の位置を確認し、自己宛のＦＴＳパターンを参照する。そして、接続の正常性を確認する。この動作は、残りのＴＳＷ＃２〜ＴＳＷ＃４についても同様である。
【００３１】
図４はタイムスイッチの他の動作説明図であり、（ｍ＋２）次のタイムスイッチの動作を示している。この例では、空間スイッチ（ＳＳＷ）を通過した後のＴＳＷの動作を示している。ＳＳＷでは、フレームの乗せ替えを行なっているため、ＳＳＷの後段のＴＳＷでは、確実にＦＴＳパターンを確認することができるようにパターン入れ替えを行なっている。
【００３２】
（ｍ＋２）次のＴＳＷにその前段のＳＳＷからフレームが送られてくると、制御部２０ｃは、パターンの入れ替え処理と、主信号制御を行なう。そして、次の（ｍ＋３）次のＴＳＷでＦＴＳパターンを確認することができるように、（ｍ＋３）次のＴＳＷ＃１〜ＴＳＷ＃４に共通に例えばＴＳの４番目にＦＴＳパターンの挿入アドレスが記憶されている。そこで、（ｍ＋３）次のＴＳＷでは、ＴＳＷ＃１〜ＴＳＷ＃４は共通のＦＴＳパターンを参照することになる。この場合、ＦＴＳパターンは、全ての＃１〜＃４のＴＳＷに共通のパターンとなる。
【００３３】
（ｍ＋２）次のＴＳＷ１０において、ＡＣＭ制御（ＴＳの挿入先の始点と終点の位置を計算により求める制御）にて、（ｍ＋２）次ＴＳＷでは、ＦＴＳパターンを（ｍ＋３）次ＴＳＷ固有に割り当てたタイムスロットに入れ替えることで、（ｍ＋３）次ＴＳＷにおいて、接続の正常性を監視している。（ｍ＋４）次ＴＳＷ以降についても、同様に（ｍ＋３）次ＴＳＷ１０にて検出したＦＴＳパターンを再度検出することで、接続の正常性を監視している。１次ＴＳＷ１０から（ｍ＋３）次ＴＳＷ（（ｍ＋４）次以降を含む）１０の判定結果により、一連の接続の正常性を確認でき、誤接続箇所を特定することができる。
【００３４】
図５は本発明の第２の実施の形態例を示すブロック図である。図に示すシステムは、１次ＴＳＷ１０から途中ＳＳＷ１１を経て４次ＴＳＷ１０までの５段の接続を示している。図１と同一のものは、同一の符号を付して示す。図５に示すシステムは、図１のシステムにおけるｍ＝２の場合を示している。各次におけるＴＳＷは、＃１〜＃３でＴＳＷ１０の構成になっている。ＳＳＷ１１は、２次ＴＳＷ１０と３次ＴＳＷ１０までの間に接続されている。
【００３５】
１次ＴＳＷ１０と２次ＴＳＷ１０間は１対１の任意のケーブル接続がされている。また、３次ＴＳＷ１０と４次ＴＳＷ１０間も１対１の任意のケーブルが接続されている。このように構成されたシステムの動作を説明すれば、以下の通りである。
【００３６】
１次のＴＳＷ１０では、ＦＴＳパターンの挿入が行なわれる。２次ＴＳＷ１０では、１次ＴＳＷ１０から挿入されたＦＴＳパターンが取り出され、ＦＴＳパターンの取り出しが行なわれる。判定が終了したＦＴＳは、再びフレームの所定位置に戻され、２次ＴＳＷ１０から出力されたＦＴＳパターンを含む主信号は、ＳＳＷ１１によりクロスコネクトされ、ＦＴＳパターンを含むフレームの乗せ替えが行なわれる。
【００３７】
３次のＴＳＷ１０では、ＳＳＷ１１を通ったパターンが入力されるので、ＦＴＳパターンの取り出しと入れ替えを行なう。即ち、誤接続があるかどうかの判断とＦＴＳパターンを検出することができるようにするため、パターンの入れ替えを行なう。３次のＴＳＷで入れ替えが行われたＦＴＳパターンは、４次のＴＳＷに入り、ＦＴＳパターンの取り出しが行なわれる。
【００３８】
以上説明した本発明の実施の形態例によれば、初段のＴＳＷのＦＴＳパターン挿入回路から挿入されたテストパターンを、後段の（ｎ−１）個のＴＳＷに設けられたパターン取出し回路でテストパターンを取り出すことで、誤接続箇所を特定することができる。
【００３９】
【発明の効果】
以上説明したように、本発明によれば以下の効果が得られる。
（１）請求項１記載の発明によれば、接続元の１次のＴＳＷの挿入回路で挿入されたＦＴＳパターンを次の２次のＴＳＷの固定位置に入れ替えるようにすることで、２次のＴＳＷの固定位置に挿入されているＦＴＳパターンをパターン取出し回路で取り出すことができ、１次のＴＳＷから２次のＴＳＷまでの接続の正常性を確認することができる。
【００４０】
（２）請求項２記載の発明によれば、各段のＴＳＷ間で請求項１の動作を行ない、２段目以降のＴＳＷの予め決められた固定位置に挿入されているＦＴＳパターンを取り出すことにより、１次のＴＳＷからｎ次のＴＳＷまでの誤接続箇所を特定することができる。
【００４１】
（３）請求項３記載の発明によれば、初段のＴＳＷのＦＴＳパターン挿入回路から挿入されたテストパターンを、後段の（ｎ−１）個のＴＳＷに設けられたパターン取出し回路でテストパターンを取り出すことで、誤接続箇所を特定することができる。
【００４２】
このように、本発明によれば、主信号制御信号の１次側時間スイッチからテストパターンの挿入を行ない、各スイッチ盤（ＰＫＧ）に監視機能を持たせることで、一連の接続の正常性を確認すると同時に、各スイッチ盤間でテストパターンを監視することで誤接続の発生した箇所を特定することができる誤接続監視システムを提供することができる。
【図面の簡単な説明】
【図１】本発明の原理ブロック図である。
【図２】本発明の第１の実施の形態例を示すブロック図である。
【図３】１次のタイムスイッチの動作説明図である。
【図４】タイムスイッチの他の動作説明図である。
【図５】本発明の第２の実施の形態例を示すブロック図である。
【図６】従来システムの概念図である。
【図７】データフォーマットを示す図である。
【図８】従来の多段接続構成の説明図である。
【符号の説明】
１０  ＴＳＷ（タイムスイッチ）
１０ａ  パターン挿入回路
１０ｂ  取出し回路
１１  ＳＳＷ（空間スイッチ）
１１ａ  取出し回路
【図１】
0004025078.tif 000002
【図２】
0004025078.tif 000003
【図３】
0004025078.tif 000004
【図４】
0004025078.tif 000005
【図５】
0004025078.tif 000006
【図６】
0004025078.tif 000007
【図７】
0004025078.tif 000008
【図８】
0004025078.tif 000009